(57)【要約】【課題】樹木形の製造が簡単かつ軽量化され、効率的に形成しうるプラスチック系発泡素材を使用したクリスマスツリー及びその製造方法の提供。【解決手段】本発明のプラスチック系発泡素材製品、特にクリスマスツリーは、発泡素材でモールを形成し、得られたモールを撚り線間に挟んでモール枝２及び芯に片側及び／又は両側端部に複数の切込を設けた発泡素材モールを巻き付けて形成した枝の少なくとも１種を有する。前記撚り線１が樹木形にモール枝３を有すること、またプラスチック系発泡素材製品は、枝状に分岐し、中密又は芯に沿って中空の樹木形幹骨格８、８４からなること、前記骨格の中空部１１には、光ファイバー６を有する。更に、本発明のプラスチック系発泡素材製品の製造方法は、所望の形状を有する発泡部材又は所望の形状に成形された発泡素材の芯部に形成した空洞芯１１に沿って芯まで切り込み、該切り込み部９から設置部材を導入することからなる。【選択図】    図１
2008194103.tif 000002
【特許請求の範囲】
【請求項１】
発泡素材でモールを形成し、得られた発泡素材モールを撚り線間に挟んで形成したモール枝及び芯に片側及び／又は両側端部に複数の切込を設けた発泡素材モールを巻き付けて形成した枝の少なくとも１種を有することを特徴とするプラスチック系発泡素材製品。
【請求項２】
前記モールが弾力性でありかつ紐状又は環状であることを特徴とする請求項１に記載のプラスチック系発泡素材製品。
【請求項３】
前記撚り線が樹木形にモール枝を有することを特徴とする請求項１又は請求項２に記載のプラスチック系発泡素材製品。
【請求項４】
中密又は芯に沿って中空の分岐した枝状骨格からなることを特徴とするプラスチック系発泡素材製品。
【請求項５】
中密又は芯に沿って中空の枝状骨格と一体化した中密又は芯に沿って中空の樹木形幹骨格又は枝状骨格から分離可能な中密又は芯に沿って中空の樹木形幹骨格のいずれかであることを特徴とするプラスチック系発泡素材製品。
【請求項６】
前記枝状に分岐した骨格の中空部には、光ファイバー又はランプ用配線を有することを特徴とする請求項４又は請求項５に記載のプラスチック系発泡素材製品。
【請求項７】
請求項１乃至請求項６のいずれかに記載のプラスチック系発泡素材製品がクリスマスツリー用品であることを特徴とするプラスチック系発泡素材製品。
【請求項８】
プラスチック系発泡素材のプラスチックが植物系プラスチックであることを特徴とする請求項１乃至請求項７のいずれかに記載のプラスチック系発泡素材製品。
【請求項９】
所望の形状を有する発泡部材又は所望の形状に成形された発泡素材の芯部に形成した空洞芯又はすでに有する空洞芯に沿って芯まで切り込み、該切り込み部から設置部材を導入することを特徴とする請求項４乃至請求項７のいずれかに記載のプラスチック系発泡素材製品の製造方法。
【発明の詳細な説明】
【技術分野】
【０００１】
本発明は、製品の製造が簡単かつ軽量なプラスチック系発泡素材（又は発泡体ともいう。）を使用したクリスマスツリー及びその製造方法に関し、樹木形の製造が簡単かつ軽量化され、ボリューム感かつ新しい樹木形の創出が容易であり、省材料であり、効率的に形成しうるプラスチック系発泡素材を使用したクリスマスツリー及びその製造方法に関するものである。
【背景技術】
【０００２】
従来、クリスマスツリーの形成素材は、ポリ塩化ビニールやポリプロピレンなどの合成樹脂、樹木などの枝や幹の骨格を金属線材を用いて作られているが、これらの材料で形成される製品は実質的に手作りや機械加工で作られているが、例えば、機械加工を用いた場合には、その製造過程が複雑となり、設備費用が高価となる反面、製品価格は安く、十分な採算性が得られない。また通常、クリスマスツリー又はそれと同類の製品は、いくつか知られており、その一つには、可撓性がある数本の金属線からなる撚り線の撚りの間に、細い樹脂製線紙製線等のモール素材を挟んだ連続モールを上方から順次に両端の突出度を大きくして折り返し、その各折り返し間のほぼ中央を、比較的太くて曲げ難い数本の線材からなる幹撚り線の撚りの間に挟んだ成形品の各折り返し端を任意形状に曲げて樹木形に整えることを特徴とするクリスマスツリーが知れている（例えば、特許文献１参照）。またクリスマスツリーに装飾効果を持たせるために、クリスマスツリーの葉っぱに結氷状葉体構造を持たせたものが知られている（例えば、特許文献２参照）。
【特許文献１】実開平６−２６６６３号公報（特許請求の範囲）
【特許文献２】実用新案登録第３１１３８８１号（段落０００１〜０００３）
【発明の開示】
【発明が解決しようとする課題】
【０００３】
しかしながら、これらのクリスマスツリーは、可撓性がある数本の金属線からなる撚り線の撚りの間に、細い樹脂製線紙製線等のモール素材を挟んだ連続モールを幹撚り線に取り付け、樹木様に形成したものであったり、またクリスマスツリーの枝に冬の季節感を持たせるために、クリスマスツリーの葉っぱに結氷状葉体構造を持たせたものであり、前者ではクリスマスツリー風であっても、忠実性に欠けるばかりでなく、柔軟性材料からなり、弾力性がないため、折れ癖がつき、圧縮すると元に戻らないため、包装に嵩張るという問題があった。また後者では、装飾性には優れているものの、製造が複雑で高価である点で問題があった。
【０００４】
そこで、本発明者は、上記の問題点について種々検討したところ、これらの問題点は、樹脂製線や紙製線等のモール素材に代えてプラスチック系発泡素材を用いることにより、発砲素材の厚さや形の調整が容易になり、枝の形と数量の調整が簡単にできること、即ち枝部へ取付けた際、発砲素材に弾力性と厚みがあるため、枝のモールを長くする又は長いモールと短いモールを組み合わせることができるばかりでなく枝部の枝数、層数、幹の枝数、層数を少なくすることができるので、生産コストを下げることができるにより解決することができることを見出し、本発明を成すに至った。
【０００５】
したがって、本発明が解決しようとする課題は、製品の製造が簡単かつ軽量なプラスチック系発泡素材を使用したクリスマスツリー及びその製造方法に関し、樹木形の製造が簡単かつ軽量化され、ボリューム感かつ新しい樹木形の創出が容易であり、省材料であり、
効率的に形成しうるプラスチック系発泡素材を使用したクリスマスツリー及びその製造方法を提供することにある。
【課題を解決するための手段】
【０００６】
本発明の上記課題は、以下に示す各発明により達成される。
（１）発泡素材でモールを形成し、得られたモールを撚り線間に挟んでモール枝及び芯に片側及び／又は両側端部に複数の切込を設けた発泡素材モールを巻き付けて形成した枝の少なくとも１種を有することを特徴とするプラスチック系発泡素材製品。
（２）前記モールが弾力性でありかつ紐状又は環状であることを特徴とする前記第１項に記載のプラスチック系発泡素材製品。
（３）前記撚り線が樹木形にモール枝を有することを特徴とする前記第１項又は第２項に記載のプラスチック系発泡素材製品。
（４）中密又は芯に沿って中空の分岐した枝状骨格からなることを特徴とするプラスチック系発泡素材製品。
（５）中密又は芯に沿って中空の枝状骨格と一体化した中密又は芯に沿って中空の樹木形幹骨格又は枝状骨格から分離可能な中密又は芯に沿って中空の樹木形幹骨格のいずれかであることを特徴とするプラスチック系発泡素材製品。
（６）前記枝状に分岐した骨格の中空部には、光ファイバー又はランプ用配線を有することを特徴とする前記第４項又は第５項に記載のプラスチック系発泡素材製品。
（７）前記第１項乃至第６項のいずれかに記載のプラスチック系発泡素材製品がクリスマスツリー用品であることを特徴とするプラスチック系発泡素材製品。
（８）プラスチック系発泡素材のプラスチックが植物系プラスチックであることを特徴とする請求項１乃至請求項７のいずれかに記載のプラスチック系発泡素材製品。
（９）所望の形状を有する発泡部材又は所望の形状に成形された発泡素材の芯部に形成した空洞芯又はすでに有する空洞芯に沿って芯まで切り込み、該切り込み部から設置部材を導入することを特徴とする前記第４項乃至第７項のいずれかに記載のプラスチック系発泡素材製品の製造方法。
【発明の効果】
【０００７】
前記第１項に記載のプラスチック系発泡素材製品は、発泡素材でモールを形成し、得られたモールを撚り線間に挟んでモール枝モール枝及び芯に片側及び／又は両側端部に複数の切込を設けた発泡素材モールを巻き付けて形成した枝の少なくとも１種を有することにより、製品の製造が簡単、軽量かつ斬新な樹木形ができるプラスチック系発泡素材を使用したクリスマスツリーが得られるという優れた効果をそうするものである。即ち、プラスチック系発泡素材の弾力性と厚みを利用するために、各枝木の葉を長く形成することができ、また各葉の長さを長葉と短葉を交互に配置することができ、更に枝の数、層数、また幹骨格から派生する各枝骨格の数、層数を減らしても従来のものに比べ遜色のない製品が得られるので、製品の製作コストを抑えることができるという優れた効果を奏するものである。前記第２項に記載の発明は、前記第１項に記載のプラスチック系発泡素材製品において、前記モールが弾力性でありかつ紐状又は環状であることを特徴とするもので、このようにモールが弾力性であることにより、曲げや圧縮に強く、したがって、紐状又は環状に加工し易くまた耐衝撃生に優れている。前記第３項に記載の発明は、前記第１項に記載のプラスチック系発泡素材製品において、前記撚り線が樹木形にモール枝を有することにより、取り付けが簡単かつ実物の樹木風に形成することができるという優れた効果を奏するものである。
【０００８】
前記第４項に記載の発明のプラスチック系発泡素材製品は、中密又は芯に沿って中空の分岐した枝状骨格からなることを特徴とするとするもので、このような骨格を有することにより、特に弾力性プラスチック系発泡素材を用いる場合には、形状の変形が容易になため設置部材、例えば、光ファイバーやライトを埋め込み、取り出しなどが容易にできるばか
りでなく、プラスチック系発泡素材で作られた枝や幹骨格に孔や切り込みなどの溝を容易に形成することができる。またプラスチック系発泡素材で形成した部品間の接続又は分離が極めて簡単に行うことができる。更にプラスチック系発泡素材であるので、重量が極めて軽く、大きさにかかわらず運搬しやすくまた大型化しても組立が容易である。更に廃棄処分時においても廃棄コストが安価となる。前記第５項に記載の発明のプラスチック系発泡素材製品は、中密又は芯に沿って中空の枝状骨格と一体化した中密又は芯に沿って中空の樹木形幹骨格又は枝状骨格から分離可能な中密又は芯に沿って中空の樹木形幹骨格のいずれかであることにより、請求項４に記載の発明の効果と同様の優れた効果を奏するばかりでなく、組み立て又は分解が極めて簡単にでき、梱包がコンパクトになるという優れた効果を奏するものである。前記第６項に記載の発明は、前記第４項又は第５項に記載のプラスチック系発泡素材製品において、前記枝状に分岐した骨格の中空部には、光ファイバー又はランプ用配線を有することによって、これらの線が樹木の幹や枝の外表面によって設けられるのとは違って、外観上も好ましい。前記第７項に記載の発明は、前記第１項乃至第６項のいずれかに記載のプラスチック系発泡素材製品がクリスマスツリー用品であることを特徴とするもので、これにより、通常の製品はもとより、特に大型化した製品では軽量化、包装コストの軽減、物流下における破損が減少する。また弾力性のあるプラスチック系発泡素材を用いた場合には、軽量化、包装コストの軽減、物流下における破損が減少することはもちろんのこと、弾力性があるため圧縮梱包やこれの長期保存においても、開放するとすぐ元の状態に戻るという優れた効果を奏するものである。前記第８項に記載の発明は、請求項１乃至請求項７のいずれかに記載のプラスチック系発泡素材製品において、プラスチック系発泡素材のプラスチックが植物系プラスチックであることにより、地球環境への負荷が小さい、従来のプラスチック（ポリカーボネート、ABS、エポキシ樹脂など）が用いられており、 環境安全対策は進みつつあります。しかし、現在、石油資源の枯渇が顕在化しつつあり、再生可能な資源への代替化が新たな課題となってきています。 
これに対して、植物を原料としたバイオプラスチックは、植物原料が石油原料の代わりになる上、植物に地球温暖化の要因と されている二酸化炭素を固定化する効果があり、さらに、廃棄後、土の中での分解性（生分解性）に優れているという特徴もあるので、 新たな環境調和材料として、現在、大きな期待が寄せられています。 
バイオプラスチックは、微生物生産系、化学合成系、 および天然物系の3つに分けられます。中でも化学合成系のポリ乳酸は、トウモロコシを原料として量産化が開始され、 さらにバイオプラスチックの中では比較的に耐熱性が高いため、電子機器外装材の一部に採用が始まっています。
【０００９】
前記第９項に記載の発明は、前記第４項乃至第７項のいずれかに記載のプラスチック系発泡素材製品の製造方法において、所望の形状を有する発泡部材又は所望の形状に成形された発泡素材の芯部に形成した空洞芯又はすでに有する空洞芯に沿って芯まで切り込み、該切り込み部から設置部材を導入することを特徴とするもので、このような方法により、枝骨格や樹木幹骨格の製造が簡単かつ軽量的に得られ、また効率的にプラスチック系発泡素材を得ることができるので、これらの内部に簡単かつ容易に設置部材を設置することができ、クリスマスツリーなどの製作工程が単純化され、簡単に高品質でかつ量産でき、しかも効率よく、安価に得られるという優れた効果を奏するものである。
【発明を実施するための最良の形態】
【００１０】
以下に、本発明の実施の形態の最良のものについて説明するが、これは一例であってこれに限定されるものではない。
【００１１】
本発明のプラスチック系発泡素材製品は、発泡素材でモールを形成し、得られたモールを撚り線間に挟んでモール枝を形成したことを特徴とする。この発泡素材には、植物系プラスチック、鉱物系プラスチックがり、この植物系プラスチックを用いたプラスチック系
発泡素材には、例えば、植物を原料としたバイオプラスチックがあり、微生物生産系、化学合成系、 および天然物系の3つに分けられます。中でも化学合成系のポリ乳酸は、トウモロコシを原料として量産化が開始され、 さらにバイオプラスチックの中では比較的に耐熱性が高いという特性を備えている。この他、植物系プラスチックとしては、セルロース系などがあり、また鉱物系プラスチックとしては、ポリエチレン（ＰＥ）、ポリプロピレン、ポリ塩化ビニル、ポリウレタン（ＰＵ）、ＰＰＧ、ＲＳなどのプラスチック、植物性プラスチックなどがある。植物性プラスチックとしては、セルロース、ポリ乳酸などが用いられるが、これに限らず非弾力性又は弾力性の発泡素材であれば使用が可能である。この他、プラスチック系発泡素材には、記憶性プラスチック（形状記憶プラスチック）、高弾力性プラスチック、低変色性（耐退化性）プラスチックなどがある。記憶性プラスチックとしては、たとえば、ポリ乳酸が挙げられる。高弾力性プラスチック、低変色性（耐退化性）プラスチックは、前述のプラスチックに色安定剤を添加混合することによりプラスチックの変色を有効に防止することができる。特に紫外線による退職の防止に有効である。色安定剤としては、カラースタビライザー  ＣＳ−３０（商品名）が好ましく、添加量は、プラスチックに２．０〜４．０ｐｐｈｐを添加して使用する。このような発泡素材は、シート状、板上、柱状、ブロック状などが用いられるが、特にこれらに限定されるものではない。また柱状には、三角形、四角形、五角形、六角形などの多角形が好ましく用いられる。これらの発泡素材は、作る製品の種類により異なるが、例えば、クリスマスツリーを製作するような場合には、モール紐を形成するのが好ましく、また得られたモール紐により適宜の形状に加工することができる。またクリスマスツリーなどの枝葉を形成する場合には、撚り線の撚りの間に発泡素材で形成したモールを挟み込んで葉体を形成する。この際、線状に取り付けるか又は環状に取り付けてもよい。
【００１２】
また本発明のプラスチック系発泡素材製品は、中密又は芯に沿って中空の枝状に分岐した骨格からなるものや枝状に分岐し、中密又は芯に沿って中空の樹木形幹骨格からなるものが好ましく、これらは、通常、ブロックから枝状に細工するか又は成形型に入れて成形することにより製造される。この際、中密に成形することも中空に成形することもできる。その後、必要に応じて芯に沿って芯まで切り込んで溝を形成し、発泡素材が弾力性を有する場合には、この切り込み溝を開いて、その中に光ファイバーやランプ用配線を導入する。このように小枝（枝骨格ともいう。）や幹骨格を形成した後、これらを樹木風に接続し、その中に光ファイバーやランプ用配線を導入してクリスマスツリーを製作することができる。
【００１３】
本発明のプラスチック系発泡素材製品の製造方法は、所望の形状を有する発泡部材又は所望の形状に成形された発泡素材の芯部に形成した空洞芯又はすでに有する空洞芯に沿って芯まで切り込み、該切り込み部から設置部材を導入することを特徴とするが、成形方法自体は、従来より公知の方法でよく、またプラスチック系発泡素材も公知のものでよい。また空洞芯の形成方法も従来公知の方法でよく、例えば、成形型において、空洞部に枝状の芯材を配置すればよい。また切り込みは、手動でも自動でもよく、生産量に応じて適宜の手段を用いることができる。
【００１４】
以下、本発明を図面を用いて実施の形態を更に詳細に説明するが、これらの例は、本発明を説明するためのものであり、本発明はこれに限定されるものではない。
【００１５】
図１は、本発明の枝葉を示す斜視図である。図２は、本発明の枝葉の別の形態を示す斜視図である。図３は、図１に示される枝葉を組み合わせて製作された斜視図である。図４は、成形型を使用して成形して得られた枝部又は幹骨格に光ファイバーを切り込み溝から導入したところを示す斜視図である。図５は、電球を有する電線を内蔵した枝又は幹骨格を示す斜視図である。図１のａにおいて、撚り線１の撚りの間にモール２を挟んで枝葉Ｉを形成したものでである。モール２は、モール２１、モール２２、モール２３の３層からな
り、モール２の材質は、ポリ塩化ビニルなどの発泡素材が用いられ、この場合は、発泡素材のシートを紐状に細く裁断したものが用いられる。また図１のｂでは、撚り線１の撚りの間に環状発泡素材を輪切りにした切断面が長方形の環状態の中央部を挟んで、両側にリボン状の脹らみのある環状のモール葉３１、３２、３３からなる枝葉ＩＩを形成する。図２において、図２のａに示されるモール枝４１は、図２のｂ又はｃに示されるモール２４に切込９１を入れ、これを芯１２に巻き込んで形成される。ここで使用される芯としては、鉄棒、プラスチック棒、ファイバー棒などがある。図３は、クリスマスツリーであり、図１に示される枝葉Ｉを形成する方法で、クリスマスツリー用の撚り線からなる幹骨格４と幹骨格４から枝別れした撚り線１からなる枝にモール２１、モール２２、モール２３の３層のモール２を取り付けて枝葉Ｉを形成する。同様に各枝にモールを取り付けてクリスマスツリーＩＩＩを製作する。このようなクリスマスツリーＩＩＩを床７などに置く場合には、スタンド５に幹骨格の端部を取り付ける。このクリスマスツリーＩＩＩの幹骨格４や撚り線からなる枝には、光ファイバーや電球を有する電線を設置することができる。これらの光ファイバーや電球の発光は、光源装飾装置（図示せず）で各種の色、単色、混合色、更にはカラー色をコントローラー（色制御装置）を用いて刻々と変化する色を制御することができる。
【００１６】
図４は、本発明の別の形態の枝、幹骨格からなる成形体の斜視図である。図５は、図４と同様に形成した各枝の先端に電球を備えた枝葉又はクリスマスツリーを斜視図である。図４において、成形型に中型を配置した後、ポリプロピレンなどの発泡用素材を充填して発泡成形した。得られた発泡体８は、枝８１、８２、８３と幹骨格８４、８５、８６の芯に沿って中空１１となっている。この発泡体は、弾力性があるので、枝状に分岐した骨格の表面から中空部１１に向けて切り込み９を設ける。ついで、この切り込み９を開いて、この中に光ファイバー６を導入する。また枝状に分岐した骨格８の内部が中樒である場合には、枝状に分岐した骨格８の芯に向かって切り込みをする。ついでこの切り込み９を開いて、その中に光ファイバー６を導入する。開いた開口部を閉じれば弾力性の故に自然に閉まり元の状態になる。図５では、図４に示されるように、先端に電球又はＬＥＤランプ１０を有する電線６を切り込み９の開口部から導入する。同様に、開いた開口部を閉じれば弾力性の故に自然に閉まり元の状態になる。ここで、幹骨格８に設けられる枝骨格８１は、成形により一体的に形成してもまた別々に形成した後、適宜の方法で接続してもよい。本発明では、枝状に分岐した骨格８の内部には、光ファイバーや電線を導入することができ、更に光ファイバーはＬＥＤ光源と組み合わせて光ファイバーの先端又は該光ファイバーの側面から光を放射することができる。更に電球やＬＥＤランプ１０は、枝先ばかりでなく幹骨格の切込や枝骨格の切込み部分にも設けることができる。更には幹骨格や枝骨格が透明の場合には、これらの中にも電球やＬＥＤランプ１を設けることができる。
【００１７】
これらのプラスチック系発泡素材を使用した本発明の製品は、軽量であり、梱包に際し、圧縮して小さくしてコンパクトにすることができる。圧縮は、１００分の１に圧縮することができるが、更に最大２５０分の１に圧縮することが可能であるので、例えば、１０ｍのツリーは、１０ｃｍの箱に詰めることができる。したがって、この状態で長期保管が可能であるばかりでなく、運搬中に破損する恐れも少ない。また本発明の製品は、プラスチック系発泡素材で形成されているので、形が崩れないばかりか外見が実物に近く、高級品のイメージが実感できる。本発明に用いられるプラスチック系発泡素材には、植毛するか又は、染料、顔料などを混入して各種の色調の製品を製造することができる。また光触媒や長残光性蛍光体を混入することもできる。本発明に用いられるプラスチック系発泡素材を用いて製造した成形品は、該成形品と組み合わせてまた別の材料と組み合わせて、例えば、パズル式のツリーを製造するなど各種の用途がある。
【００１８】
本発明のプラスチック系発泡素材製品を製造するには、彫刻的に発泡素材を削って枝骨格や幹骨格を製作することができるが、発泡性素材又は発泡用素材を成形型に充填して成
形することにより製造することが好ましい。ついで、所望の形状を有する発泡部材又は所望の形状に成形された発泡素材の芯部に形成した空洞芯又はすでに有する空洞芯に沿って芯まで切り込み、該切り込み部から設置部材を導入することが好ましい。設置部材としては、光ファイバー、電線、接続用部品などを導入することができる。また発泡性素材の組成は発泡素材に発泡剤、硬化促進剤、安定剤、可塑剤を添加して製造することができる。
【００１９】
図６乃至図８は、硬化性発砲素材を使用して形成したモールであって、図６は、厚みのある発砲素材の断面図であり、図６のａは、得られたモールを長状物に固定したところを示す断面図である。図６のｂは、モール葉の部分に打抜きや切込を設けたモールを示す断面図である。図６において、厚みのある発砲素材１３から作られたモール葉２５を有するモールシート１４だけの長状物１５はもちろん、厚みのある発砲素材１３から作られたモール葉２５を有するモールシート１４を長状物１５に固定したもので、この長状物１５は、特に限定されるものではないが、布、プラスチックシート、金属性テープなどが用いられ、またモールシート１４と長状物１５との固定は、縫製、接着などの手段により固定するのが好ましい。またこのモール葉の形状は、特に限定されるものではないが、板状、三角形状、方形形、例えば、四角形、長方形など、多角形、例えば、五角形、六角形などが好ましく用いられる。更にモール葉は、ある程度柔らかくするため、また省材料又は省素材、軽量化しうる形状の切り抜きや打抜きのあるものが好ましく、例えば、図６のａの如く、三角形、円形（２６）、楕円形（２７）、長方形（２８）、又は適宜の切込（２９）などがある。図７は、モール葉の他の一例を示した断面図であり、図７のａは、長方形のモール葉３５が例示されていある。また図７のｂには、四角形４２、五角形４５がモールシート１４に細く形成された接続部１６で接続されている。このように形成されるモーツ葉２５、３５、４５などの根本は、柔軟性を持たせるために、細く形成されるのが好ましい。このような形状にすることにより柔軟性が得られるばかりでなく、発砲素材を軽減しコストを下げることができる。更には発砲素材を軽減したにも限らず装飾効果はむしろ向上し、モール葉は濃い緑に見え、全体として豊満かつ豪華に見えるという優れた効果を奏するものである。図８は、厚みのある発砲素材を使用してモール葉用切込を形成したところを示す断面図である。図８において、厚みのある三角形状モール葉２５とモールシート１４が形成されるように、実線の如く切り込んだ後、更にＸ−Ｙの点線に沿って切断すると、図６のａに示されるように、片側にモール葉２５を有するモール１４が得られる（Ｂ、Ｃ）。またＹ−Ｚの点線に沿って切断した後、Ａの部分を取り出すと、両側にモール葉を有するモールが得られる。このようなモール葉の作製方法により、豊満かつ豪華なモール葉やクリスマスツリーが得られるばかりでなく、簡単に製作でき、発砲素材の減量化及び軽量化が可能となるという格別優れた効果を奏するものである。
【００２０】
図９は、厚みのある発砲素材に形成された切込を示す断面図であり、図１０は、図９の切込んだ発砲素材で三角錐を形成したところを示す断面図である。図９及び図１０において、図９のａは、厚みのある発砲素材５１を平面を台形状に切断した後、上面から底面に向かって放射状に一定間隔で切込９１を入れ、かつこれらの切込は、隣接した切込より半分の長さをずらして切り込む。また図のｂは、別の例であり、厚みのある発砲素材５１を平面を台形状に切断した後、上面から底面に向かって放射状に切込９１を入れ、かつこれらの切込は、一定間隔で接着（５２）されており、隣接した切込の接着は、該接着点より半分の長さをずらして接着する。このようにして形成されたモール５１を広げて円錐形状に形成する。得られた円錐形モールは、クリスマスツリーが形成されるので、この中に発光体、例えば、電球、ＬＥＤ電球、更には光ファイバー、該光ファイバーの側面が透明又は一部透明化した光ファイバーを収納して光源装置から光又は各色の光を発光させることにより、光が漏れて豪華に光装飾されたクリスマスツリーが得られる。
【産業上の利用可能性】
【００２１】
本発明のプラスチック系発泡素材製品は、クリスマスツリーやその部品の製造が簡単で、いろいろな種類のクリスマスツリーを豪華に作製することができるので、装飾品、その他の用途に広く使用される極めて有用な製品である。
【図面の簡単な説明】
【００２２】
【図１】本発明の枝葉を示す斜視図である。
【図２】本発明の枝葉の別の形態を示す斜視図である。
【図３】図１に示される枝葉を組み合わせて製作された斜視図である。
【図４】成形型を使用して成形して得られた枝部又は幹骨格に光ファイバーを切り込み溝から導入したところを示す斜視図である。
【図５】電球を有する電線を内蔵した枝又は幹骨格を示す斜視図である。
【図６】厚みのある発砲素材を使用して形成されたモールの断面図である。
【図７】各種のモール葉形状を示す断面図である。
【図８】厚みのある発砲素材を使用してモール葉用切込を形成したところを示す断面図である。
【図９】厚みのある発砲素材に形成された切込を示す断面図である。
【図１０】図９の切込んだ発砲素材で三角錐を形成したところを示す断面図である。
【符号の説明】
【００２３】
１  撚り線
２、２１、２２、２３  モール葉
３、３１、３２、３３、環状モール又は環状のモール葉
２５、２６、２７、２８、２９、３５、４２、４３、４４、４５  モール葉（形状）
４  幹骨格
５  スタンド
６  光ファイバー又は電線
７  床
８、８１〜８６  枝
９、９１、９２  切り込み又はスリット
１０  ＬＥＤ又は電球
１１  中空又は中空部
１３、５１  厚みのある発砲素材
１４  モールシート
１５  長状物
１６  細い接続部
５１、５２  接着部
５３  開孔部
Ｉ  モール枝
ＩＩ  環状のモール葉を有する枝
ＩＩＩ  クリスマスツリー
【図１】
2008194103.tif 000003
【図２】
2008194103.tif 000004
【図３】
2008194103.tif 000005
【図４】
2008194103.tif 000006
【図５】
2008194103.tif 000007
【図６】
2008194103.tif 000008
【図７】
2008194103.tif 000009
【図８】
2008194103.tif 000010
【図９】
2008194103.tif 000011
【図１０】
2008194103.tif 000012